(57)【要約】    【課題】本発明は、盗難防止機能を有するデータ収集処理装置、システム及び方法を提供する。    【解決手段】少なくとも１つの被保護物品の関連情報を収集して処理し、関連情報は被保護物品の状態情報、操作情報、周囲環境情報及び被保護物品の所有者又は使用者の情報を備え、被保護物品が正常状態ではないと検出した場合、警報動作を行う。データ収集処理装置はセンシングモジュール（１１）、メインコントロールモジュール（１２）、警報及びデータ処理モジュール（１３）などを備え、局部ネットワーク接続又は分布式データ処理ネットワークを構成することができる。本発明のデータ収集処理装置は盗難防止機能を有するばかりではなく、被保護物品の各種の関連情報も収集することができるので、リテール、展示会、ホテル、銀行などの公共場所に特別に適合し、商品/サービス施設の所有者が展示される商品又はサービス施設の使用状況を了解することにする。    【選択図】図１Ａ
2017512345.tif 000002
【特許請求の範囲】
【請求項１】
盗難防止機能を有するデータ収集処理装置であって、
前記データ収集処理装置は少なくとも１つの被保護物品に関する情報、即ち関連情報を収集して処理するために用いられ、前記関連情報は前記被保護物品が正常状態にあるか否かを表示する情報を備え、
前記盗難防止機能を有するデータ収集処理装置が前記関連情報を処理して、前記被保護物品が正常状態ではないと検出した場合、警報動作を行うことを特徴とする盗難防止機能を有するデータ収集処理装置。
【請求項２】
前記関連情報は以下の情報の中の少なくとも一種を備え、即ち前記被保護物品の状態情報、操作情報、周囲環境情報及び前記被保護物品の所有者又は使用者の情報であることを特徴とする請求項１に記載の盗難防止機能を有するデータ収集処理装置。
【請求項３】
センシングモジュール（１１）、メインコントロールモジュール（１２）、警報及びデータ処理モジュール（１３）を備え、
前記センシングモジュール（１１）は前記被保護物品（Ｓ）の前記関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）に送信し、
前記警報及びデータ処理モジュール（１３）は前記メインコントロールモジュール（１２）の警報信号を処理して警報動作を行うために用いられ、且つメインコントロールモジュール（１２）から送信する関連情報を処理して対応するインタラクティブ操作を行うことを特徴とする請求項２に記載の盗難防止機能を有するデータ収集処理装置。 
【請求項４】
前記関連情報と、前記メインコントロールモジュール（１２）又は前記警報及びデータ処理モジュール（１３）が前記関連情報に対して分析処理を行って生成したデータと、を記憶するために用いられる記憶モジュール（１４）をさらに備えることを特徴とする請求項３に記載の盗難防止機能を有するデータ収集処理装置。
【請求項５】
前記メインコントロールモジュール（１２）からの警報信号を、この警報信号を処理することができる外部装置に送信し、且つ前記センシングモジュール（１１）が入手した前記被保護物品（Ｓ）の関連情報を、この関連情報を処理することができる外部装置に送信する通信モジュール（１５）をさらに備えることを特徴とする請求項３又は４に記載の盗難防止機能を有するデータ収集処理装置。
【請求項６】
少なくとも１つのデータ収集処理装置（１）及び１つの警報及びデータ処理装置（２）を備え、前記データ収集処理装置（１）と前記警報及びデータ処理装置（２）は有線又は無線方式によってデータ接続を確立し、
前記データ収集処理装置（１）は少なくとも１つの被保護物品に関する情報、即ち関連情報を収集するために用いられ、且つそれを前記警報及びデータ処理装置（２）に送信し、前記関連情報は前記被保護物品が正常状態にあるか否かを表示する情報を備え、
前記警報及びデータ処理装置（２）が前記関連情報を処理することにより前記被保護物品が正常状態ではないと検出した場合、警報動作を行うことを特徴とする盗難防止機能を有するデータ収集処理システム。
【請求項７】
前記関連情報は以下の情報の中の少なくとも一種を備え、即ち被保護物品の状態情報、操作情報、周囲環境情報及び前記被保護物品の所有者又は使用者の情報であることを特徴とする請求項６に記載の盗難防止機能を有するデータ収集処理システム。
【請求項８】
前記データ収集処理装置（１）はセンシングモジュール（１１）、メインコントロールモジュール（１２）及び通信モジュール（１４）を備え、
前記センシングモジュール（１１）は前記被保護物品（Ｓ）の前記関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）に送信し、
前記通信モジュール（１５）は前記メインコントロールモジュール（１２）からの警報信号を前記警報及びデータ処理装置（２）に送信し、且つ前記センシングモジュール（１１）が入手した前記被保護物品の関連情報を前記警報及びデータ処理装置（２）に送信することを特徴とする請求項７に記載の盗難防止機能を有するデータ収集処理システム。
【請求項９】
前記データ収集処理装置（１）は警報及びデータ処理モジュール（１３）をさらに備え、
前記警報及びデータ処理モジュール（１３）は前記メインコントロールモジュール（１２）の警報信号を処理して警報動作を行うために用いられ、且つメインコントロールモジュール（１２）から送信する関連情報を処理して対応するインタラクティブ操作を行い、
前記メインコントロールモジュール（１２）はさらに警報信号、関連情報を前記警報及びデータ処理モジュール（１３）に送信するか又は前記警報及びデータ処理装置（２）に送信するかを選択するために用いられることを特徴とする請求項８に記載の盗難防止機能を有するデータ収集処理システム。
【請求項１０】
前記データ収集処理装置（１）は記憶モジュール（１４）をさらに備え、
前記記憶モジュール（１４）は、関連情報と、前記メインコントロールモジュール（１２）又は前記警報及びデータ処理モジュール（１３）が関連情報に対して分析処理を行って生成したデータと、を記憶するために用いられることを特徴とする請求項９に記載の盗難防止機能を有するデータ収集処理システム。
【請求項１１】
少なくとも１つのデータ収集処理装置（１）及び１つのクラウドサーバー（ＣＳ）を備え、前記データ収集処理装置（１）と前記クラウドサーバー（ＣＳ）は有線又は無線方式によってデータ接続を確立し、
前記データ収集処理装置（１）はセンシングモジュール（１１）、メインコントロールモジュール（１２）、警報及びデータ処理モジュール（１３）及び通信モジュール（１４）を備え、
前記センシングモジュール（１１）は少なくとも１つの被保護物品に関する情報、即ち関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）又は前記クラウドサーバー（ＣＳ）に送信し、
前記警報及びデータ処理モジュール（１３）は前記関連情報を処理することにより前記被保護物品が正常状態ではないと検出した場合、警報動作を行い、且つ前記メインコントロールモジュール（１２）から送信する関連情報を処理して対応するインタラクティブ操作を行い、
前記通信モジュール（１４）は前記メインコントロールモジュール（１２）からの警報信号を警報及びデータ処理モジュール（１３）に送信し、且つ前記センシングモジュール（１１）が入手した前記被保護物品の関連情報を前記警報及びデータ処理モジュール（１３）又は前記クラウドサーバー（ＣＳ）に送信し、
前記クラウドサーバー（ＣＳ）は各データ収集処理装置（１）からの被保護物品に関する情報を受信して処理し且つ処理結果を各データ収集処理装置（１）に送信して、各データ収集処理装置（１）がインタラクティブ操作を行うことにすることを特徴とする盗難防止機能を有するデータ収集処理システム。
【請求項１２】
前記関連情報は以下の情報の中の少なくとも一種を備え、即ち前記被保護物品の状態情報、操作情報、周囲環境情報及び前記被保護物品の所有者又は使用者の情報であることを特徴とする請求項１１に記載の盗難防止機能を有するデータ収集処理システム。
【請求項１３】
前記データ収集処理装置（１）は記憶モジュール（１４）をさらに備え、
前記記憶モジュール（１４）は、関連情報と、前記メインコントロールモジュール（１２）又は前記警報及びデータ処理モジュール（１３）が関連情報に対して分析処理を行って生成したデータと、を記憶するために用いられることを特徴とする請求項１２に記載の盗難防止機能を有するデータ収集処理システム。
【請求項１４】
少なくとも１つの被保護物品に関する情報、即ち関連情報を収集し、前記関連情報は前記被保護物品が正常状態にあるか否かを表示する情報を備えるステップと、
前記被保護物品が正常状態にあるか否かを判断し、且つ前記被保護物品が正常状態ではないと判断した場合、警報動作を行うステップと、
を備えることを特徴とするデータ収集処理方法。
【請求項１５】
収集した関連情報を処理して対応するインタラクティブ操作を行うステップをさらに備えることを特徴とする請求項１４に記載のデータ収集処理方法。
【請求項１６】
前記関連情報を処理することは分布式データ収集処理システムによって計算を完成することを特徴とする請求項１５に記載のデータ収集処理方法。
【発明の詳細な説明】
【技術分野】
【０００１】
本発明は、盗難防止技術分野に関するものであって、具体的に盗難防止機能を有するデータ収集処理装置、システム及び方法に関するものである。
【背景技術】
【０００２】
リテール、展示会、ホテル、銀行などの公共場所でしばしば商品又はサービス施設を展示することを必要とする。商品/サービス施設の所有者は展示される商品又はサービス施設の使用状況を了解するために、撮像又は人工現場観察方式を採用するが、このような方式は以下の不足がある：
１、撮像方式で映像を得て、映像を観察することにより商品又はサービス施設の使用状況を入手することは人の判断及び統計を必要とするので、データの紛失及び統計不完全の状況を招く；
２、人工現場観察はユーザーの行為に介入するので、データの不正確を招く；
３、撮像又は人工現場観察は全て事後統計を必要とするので、事後に問題を発現する方式は直ちにユーザーとインタラクティブを発生することに不利である；
４、展示される商品/サービス施設のために盗難防止装置を別に配置することを必要とするので、コストが向上する。
【０００３】
従来の盗難防止装置はデータ収集機能がないので、展示される商品/サービス施設に対するユーザーの使用状況を獲得することができない。
【発明の概要】
【発明が解決しようとする課題】
【０００４】
本発明が解決しようとする課題は、既存の盗難防止装置は展示される商品/サービス施設に対するユーザーの使用状況に関する情報を収集することができないことであり、被保護物品の関連情報に基づいてインタラクティブ操作を行うこともできないことである。
【課題を解決するための手段】
【０００５】
本発明に係わる盗難防止機能を有するデータ収集処理装置は、少なくとも１つの被保護物品に関する情報、即ち関連情報を収集して処理するために用いられ、関連情報は被保護物品が正常状態にあるか否かを表示する情報を備え、盗難防止機能を有するデータ収集処理装置が関連情報を処理して、被保護物品が正常状態ではないと検出した場合、警報動作を行う。
【０００６】
具体的な実施方式において、関連情報は以下の情報の中の少なくとも一種を備え、即ち被保護物品の状態情報、操作情報、周囲環境情報及び被保護物品の所有者又は使用者の情報である。
【０００７】
具体的な実施方式において、本発明に係わる盗難防止機能を有するデータ収集処理装置は、センシングモジュール、メインコントロールモジュール、警報及びデータ処理モジュールを備え、センシングモジュールは被保護物品の関連情報を収集するために用いられ、メインコントロールモジュールは被保護物品が正常状態にあるか否かを判断するために用いられ、被保護物品が正常状態ではないと判断すると、警報信号を警報及びデータ処理モジュールに送信し、且つセンシングモジュールからの関連情報も警報及びデータ処理モジュールに送信し、警報及びデータ処理モジュールはメインコントロールモジュールの警報信号を処理して警報動作を行うために用いられ、且つメインコントロールモジュールから送信する関連情報を処理して対応するインタラクティブ操作を行う。
【０００８】
具体的な実施方式において、本発明に係わる盗難防止機能を有するデータ収集処理装置は、関連情報と、メインコントロールモジュール又は警報及びデータ処理モジュールが関連情報に対して分析処理を行って生成したデータと、を記憶するために用いられる記憶モジュールをさらに備える。
【０００９】
具体的な実施方式において、本発明に係わる盗難防止機能を有するデータ収集処理装置は、メインコントロールモジュールからの警報信号を、この警報信号を処理することができる外部装置に送信し、且つセンシングモジュールが入手した被保護物品の関連情報を、この関連情報を処理することができる外部装置に送信する通信モジュールをさらに備える。
【００１０】
本発明に係わる盗難防止機能を有するデータ収集処理システムは、少なくとも１つのデータ収集処理装置及び１つの警報及びデータ処理装置を備え、データ収集処理装置と警報及びデータ処理装置は有線又は無線方式によってデータ接続を確立し、データ収集処理装置は少なくとも１つの被保護物品に関する情報、即ち関連情報を収集するために用いられ、且つそれを警報及びデータ処理装置に送信し、関連情報は被保護物品が正常状態にあるか否かを表示する情報を備え、警報及びデータ処理装置が関連情報を処理することにより被保護物品が正常状態ではないと検出した場合、警報動作を行う。
【００１１】
具体的な実施方式において、関連情報は以下の情報の中の少なくとも一種を備え、即ち被保護物品の状態情報、操作情報、周囲環境情報及び被保護物品の所有者又は使用者の情報である。
【００１２】
具体的な実施方式において、データ収集処理装置はセンシングモジュール、メインコントロールモジュール及び通信モジュールを備え、センシングモジュールは被保護物品の関連情報を収集するために用いられ、メインコントロールモジュールは被保護物品が正常状態にあるか否かを判断するために用いられ、被保護物品が正常状態ではないと判断すると、警報信号を警報及びデータ処理モジュールに送信し、且つセンシングモジュールからの関連情報も警報及びデータ処理モジュールに送信し、通信モジュールはメインコントロールモジュールからの警報信号を警報及びデータ処理装置に送信し、且つセンシングモジュールが入手した被保護物品の関連情報を警報及びデータ処理装置に送信する。
【００１３】
具体的な実施方式において、データ収集処理装置は警報及びデータ処理モジュールをさらに備え、警報及びデータ処理モジュールはメインコントロールモジュールの警報信号を処理して警報動作を行うために用いられ、且つメインコントロールモジュールから送信する関連情報を処理して対応するインタラクティブ操作を行い、メインコントロールモジュールはさらに警報信号、関連情報を警報及びデータ処理モジュールに送信するか又は警報及びデータ処理装置に送信するかを選択するために用いられる。
【００１４】
具体的な実施方式において、データ収集処理装置は記憶モジュールをさらに備え、記憶モジュールは、関連情報と、メインコントロールモジュール又は警報及びデータ処理モジュールが関連情報に対して分析処理を行って生成したデータと、を記憶するために用いられる。
【００１５】
本発明に係わる他の盗難防止機能を有するデータ収集処理システムは、少なくとも１つのデータ収集処理装置及び１つのクラウドサーバーを備え、データ収集処理装置とクラウドサーバーは有線又は無線方式によってデータ接続を確立し、データ収集処理装置はセンシングモジュール、メインコントロールモジュール、警報及びデータ処理モジュール及び通信モジュールを備え、センシングモジュールは少なくとも１つの被保護物品に関する情報、即ち関連情報を収集するために用いられ、メインコントロールモジュールは被保護物品が正常状態にあるか否かを判断するために用いられ、被保護物品が正常状態ではないと判断すると、警報信号を警報及びデータ処理モジュールに送信し、且つセンシングモジュールからの関連情報も警報及びデータ処理モジュール又はクラウドサーバーに送信し、警報及びデータ処理モジュールは関連情報を処理することにより被保護物品が正常状態ではないと検出した場合、警報動作を行い、且つメインコントロールモジュールから送信する関連情報を処理して対応するインタラクティブ操作を行い、通信モジュールはメインコントロールモジュールからの警報信号を警報及びデータ処理モジュールに送信し、且つセンシングモジュールが入手した被保護物品の関連情報を警報及びデータ処理モジュール又はクラウドサーバーに送信し、クラウドサーバーは各データ収集処理装置からの被保護物品に関する情報を受信して処理し且つ処理結果を各データ収集処理装置に送信して、各データ収集処理装置がインタラクティブ操作を行うことにする。
【００１６】
具体的な実施方式において、関連情報は以下の情報の中の少なくとも一種を備え、即ち被保護物品の状態情報、操作情報、周囲環境情報及び被保護物品の所有者又は使用者の情報である。
【００１７】
具体的な実施方式において、データ収集処理装置は記憶モジュールをさらに備え、記憶モジュールは、関連情報と、メインコントロールモジュール又は警報及びデータ処理モジュールが関連情報に対して分析処理を行って生成したデータと、を記憶するために用いられる。
【００１８】
本発明に係わるデータ収集処理方法は、少なくとも１つの被保護物品に関する情報、即ち関連情報を収集し、関連情報は被保護物品が正常状態にあるか否かを表示する情報を備えるステップと、被保護物品が正常状態にあるか否かを判断し、且つ被保護物品が正常状態ではないと判断した場合、警報動作を行うステップと、を備える。
【００１９】
具体的な実施方式において、データ収集処理方法は収集した関連情報を処理して対応するインタラクティブ操作を行うステップをさらに備える。
【００２０】
具体的な実施方式において、関連情報を処理することは分布式データ収集処理システムによって計算を完成する。
【発明の効果】
【００２１】
本発明に係わるデータ収集処理装置、システム及び方法は、現有の盗難防止機能を実現するばかりではなく、被保護物品の状態情報及び操作情報も収集することができるので、リテール、展示会、ホテル、銀行などの公共場所に特別に適合し、商品/サービス施設の所有者が展示される商品又はサービス施設の使用状況を了解することができる。
【００２２】
本発明に係わるデータ収集処理装置、システム及び方法は、いずれか１つのデータ収集処理装置からの警報信号又は状態、操作情報を受信することができ、警報信号に基づいて警報操作を行うか、又は状態、操作情報に基づいてインタラクティブ操作を行って、ユーザー体験を高める。
【図面の簡単な説明】
【００２３】
【図１Ａ】本発明に係わる盗難防止機能を有するデータ収集処理装置の一実施方式の構造を示す図である。
【図１Ｂ】本発明に係わる盗難防止機能を有するデータ収集処理装置の別の実施方式の構造を示す図である。
【図１Ｃ】本発明に係わる盗難防止機能を有するデータ収集処理装置のさらに別の実施方式の構造を示す図であるである。
【図２Ａ】本発明に係わる盗難防止機能を有するデータ収集処理システムの一実施方式の構造を示す図である。
【図２Ｂ】本発明に係わる盗難防止機能を有するデータ収集処理システムの別の実施方式の構造を示す図である。
【図３】本発明に係わる盗難防止機能を有するデータ収集処理装置の一実施方式の組立図である。
【図４】本発明に係わる盗難防止機能を有するデータ収集処理装置の一実施方式の分解図である。
【図５】本発明に係わる盗難防止機能を有するデータ収集処理装置の別の実施方式の組立図である。
【図６】本発明に係わる盗難防止機能を有するデータ収集処理装置の別の実施方式の分解図である。
【発明を実施するための形態】
【００２４】
既存の盗難防止装置の欠点に対して、本発明は盗難防止機能を有するデータ収集処理装置を提供し、盗難防止機能を有するデータ収集処理システム及び方法も提供する。
【００２５】
本発明に係わる盗難防止機能を有するデータ収集処理装置は少なくとも１つの物品が正常状態にあるか否かを検出することができ、少なくとも１つの前記物品が正常状態ではない場合、警報動作（例えば、警報信号を発送する）を行って、盗難防止作用を発揮する。つまり、前記物品はデータ収集処理装置の被保護物品になる。
【００２６】
本発明において、「正常状態」とは保護を必要とする物品が被保護状態にあることを意味し、例えば、それが特定の接続位置に位置するか、又は特定領域にあるか、又は非法操作されないことなどである。本発明において、「正常状態」はユーザーが実際特定の応用環境に基づいて設定することができ、本発明は特別に限定しない。  
【００２７】
本発明に係わるデータ収集処理装置は、被保護物品が「正常状態」にあるか否かに関する情報を収集して処理するばかりでなく、被保護物品に関するいかなる情報（関連情報）を収集することができ、被保護物品の他の状態情報及び/又は操作情報を備え、被保護物品の周囲環境情報、被保護物品の所有者又は使用者の情報も備える。被保護物品の「状態情報」は被保護物品の状態のいかなる属性情報を反映し、被保護物品が「正常状態」にあるか否かを表示する情報を備える。「操作情報」はユーザーが被保護物品を操作して生じる情報であり、ユーザーの操作時間、操作内容などの情報を備える。「環境情報」は、被保護物品の周囲環境の情報であり、温度、湿度、光、電気、磁場強度などを備え、環境ビデオ又は画像（例えば、カメラ/センサーで監視する）なども備える。「被保護物品の所有者又は使用者の情報」は、例えば、被保護物品を所有するか又は使用する人の性別、年齢などを備える。
【００２８】
本発明の被保護物品は携帯電話、タブレットコンピューター、ノートパソコン、デジタルカメラなどの電子装置であることができ、他のユーザーとインタラクティブを発生する装置であることもできる。例えば、被保護物品は電子装置であり且つデータ収集処理装置に電気的に接続される場合、状態情報はデータ収集処理装置と電子装置との間の接続状態情報などを備え、操作情報はユーザーと被保護物品のインタラクティブ操作の情報を備え、環境情報は電子装置の所在する空間領域の監視画像、温度、湿度、照明強度などを備え、使用者情報は電子設備を操作するユーザーの性別、年齢などを備える。
【００２９】
本発明の１つのデータ収集処理装置に１つ又は複数の被保護物品が接続されることができ、即ち１つのデータ収集処理装置は少なくとも１つの被保護物品の関連情報を収集して処理することができる。
【００３０】
換言すると、本発明に係わるデータ収集処理装置は少なくとも１つの被保護物品の関連情報を検出することができ、関連情報は被保護物品が「正常状態」にあるか否かを表示する情報を備える。
【００３１】
本発明に係わるデータ収集処理装置は独立な機能装置であることができ、他の電子装置に集積されることもでき、直接に被保護電子装置に集積されることもできる。例えば、スマートフォンに本発明の各機能モジュールを有する素子を内蔵することにより実現することができる。機能モジュールは、ハードウェアとする実体素子からなることができ、又は対応するプログラム又はアプリケーションを運行することができるデータ処理機能を有する通用データ処理装置で実現することができ、例えば、ＣＰＵである。
【００３２】
本発明に係わるデータ収集処理方法は、先ず、少なくとも１つの被保護物品の関連情報を収集し、次に、被保護物品が正常状態にあるか否かを判断して、被保護物品が正常状態ではないと警報動作を行う。本発明に係わるデータ収集処理方法は、さらに収集した関連情報を処理して対応するインタラクティブ操作を行うことができる。
【００３３】
図１Ａは、本発明に係わる盗難防止機能を有するデータ収集処理装置の一実施方式の構造を示す図である。図１Ａに示されたように、本発明に係わる盗難防止機能を有するデータ収集処理装置１は、センシングモジュール１１、メインコントロールモジュール１２、警報及びデータ処理モジュール１３を備える。
【００３４】
センシングモジュール１１は、被保護物品Ｓの関連情報を収集するために用いられる。状態情報は、被保護物品Ｓとデータ収集処理装置１の接続状態情報、位置状態情報などを備える。操作情報は、ユーザーと被保護物品Ｓのインタラクティブ情報、ユーザー情報などを備える。センシングモジュール１１はそれらの関連情報をメインコントロールモジュール１２に送信する。関連情報は、声、光、電気、機械、気味などのいかなる形式の情報であることができる。センシングモジュール１１は各種のセンサーから実現することができ、機械スイッチ、ＭＥＭＳセンサー、ホールスイッチ、赤外線センサー、近接センサー、カメラセンサーなどを備える。収集したデータはデータ、画像などを備える。
【００３５】
例えば、センシングモジュール１１がそれに接続された物品に接触する機械スイッチである場合、もし機械スイッチの状態が変化すると、メインコントロールモジュール１２に通知する。センシングモジュール１１がホールスイッチである場合、ホールスイッチの状態が変化すると、メインコントロールモジュール１２に通知する。センシングモジュール１１がある領域内の被保護物品を検出することができる赤外線センサー、ＭＥＭＳセンサー、近接センサー、カメラセンサーである場合、位置状態及び他の情報をメインコントロールモジュール１２に報告する。ユーザーと被保護物品との間にインタラクティブが発生する場合、センシングモジュール１１によって操作情報、環境情報、使用者情報などを記録してメインコントロールモジュール１２に送信することができ、例えば、使用者の年齢、性別、表情、被保護物品所在空間の画像、ユーザーの操作時間、操作ステップなどである。
【００３６】
メインコントロールモジュール１２は被保護物品が「正常状態」にあるか否かを判断するために用いられ、被保護物品が「正常状態」ではないと、警報信号を警報及びデータ処理モジュール１３に送信する。メインコントロールモジュール１２はセンシングモジュール１１からの関連情報、即ちユーザーと被保護物品のインタラクティブ情報、ユーザー情報などの状態又は操作情報も警報及びデータ処理モジュール１３に送信する。メインコントロールモジュール１２はマイクロプロセッサで実現することができるが、デジタル処理機能を有する他のデバイスで実現することもでき、例えば、ＦＰＧＡ、ＤＳＰなどである。
【００３７】
警報及びデータ処理モジュール１３はメインコントロールモジュール１２の警報信号を処理するために用いられ、且つ警報動作を行い、例えば、警報装置を制御して警報する。警報及びデータ処理モジュール１３はメインコントロールモジュール１２から送信する関連情報を処理して対応するインタラクティブ操作を行う。インタラクティブ操作の方式は、声、光、電気、気味、機械などを備える。警報及びデータ処理モジュール１３は独立処理装置及び関連機能素子から実現することができ、処理装置はメインコントロールモジュール１２と共用することもできる。
【００３８】
図１Ｂは、本発明に係わる盗難防止機能を有するデータ収集処理装置の別の実施方式の構造を示す図である。図１Ａに示された装置と異なり、図１Ｂに示されたデータ収集処理装置は記憶モジュール１４をさらに備える。記憶モジュール１４は関連情報を記憶するために用いられ、メインコントロールモジュール１２又は警報及びデータ処理モジュール１３が関連情報に対して分析処理を行って生成したデータも記憶する。記憶モジュール１４は読み書き機能を有するいかなるメモリから実現することができ、例えば、ＮＡＮＤ  Ｆｌａｓｈ  Ｍｅｍｏｒｙ、各種のメモリカード：ｍｉｎｉ−ＳＤ/Ｔ−Ｆｌａｓｈ/ＲＳ−ＭＭＣなどである。
【００３９】
図１Ｃは、本発明に係わる盗難防止機能を有するデータ収集処理装置のさらに別の実施方式の構造を示す図であるである。図１Ｂに示された装置と異なり、図１Ｃに示されたデータ収集処理装置は通信モジュール１５をさらに備える。
【００４０】
通信モジュール１５は、メインコントロールモジュール１２からの警報信号を、この警報信号を処理することができる外部装置に送信する。通信モジュール１５は、センシングモジュール１１が入手した被保護物品の関連情報を、この関連情報を処理することができる外部装置に送信する。通信モジュール１５はインターネットに接続するか又はインターネットに接続しないことができ、データ通信方式は有線方式と無線方式を備え、無線方式はＮＦＣ（近距離無線通信技術）、ＢＴ（ブルートゥース）、ＷＩＦＩ（無線ネットワーク通信技術）、２Ｇ/３Ｇ/ＬＴＥなどの移動ネットワーク技術、ＦＭ（調製通信技術）などを備える。例えば、インターネットに接続しない状態ではＮＦＣ、ブルートゥース、赤外線、ＷｉＦｉなどの方式のデータ交換を支持し、インターネットに接続する状態では２Ｇ/３Ｇ/ＬＴＥなどの移動ネットワーク及び他のＩｎｔｅｒｎｅｔに接続する方式を支持する。本発明は具体的なデータ通信方式に限定されるものではない。
【００４１】
以下、図２Ａ及び図２Ｂを参照して本発明に係わる盗難防止機能を有するデータ収集処理システムについて説明する。
【００４２】
図２Ａは、本発明に係わる盗難防止機能を有するデータ収集処理システムの一実施方式の構造を示す図である。このシステムは少なくとも１つのデータ収集処理装置１及び１つの警報及びデータ処理装置２を備える。データ収集処理装置１及び警報及びデータ処理装置２は有線又は無線方式によってデータ接続を確立する。
【００４３】
データ収集処理装置１は少なくとも１つの被保護物品の関連情報を収集するために用いられ、且つそれを警報及びデータ処理装置２に送信する。関連情報は被保護物品が「正常状態」にあるか否かを表示する情報を備え、警報及びデータ処理装置２が関連情報を処理することにより被保護物品が「正常状態」ではないと検出した場合、警報動作を行う。
【００４４】
図２Ａに示されたシステムのデータ収集処理装置１と上述したデータ収集処理装置１は類似する。異なる点は、警報及びデータ処理モジュール１３を備えないが通信モジュール１５を備える点である。
【００４５】
データ収集処理装置１ごとのセンシングモジュール１１は少なくとも１つの被保護物品Ｓの関連情報を検出することができる。
【００４６】
通信モジュール１５はメインコントロールモジュール１２からの警報信号を警報及びデータ処理装置２に送信する。通信モジュール１５はセンシングモジュール１１が入手した被保護物品の関連情報を警報及びデータ処理装置２に送信する。通信モジュール１５はインターネットに接続するか又はインターネットに接続しないことができ、データ通信方式は有線方式と無線方式を備え、無線方式はＮＦＣ（近距離無線通信技術）、ＢＴ（ブルートゥース）、ＷＩＦＩ（無線ネットワーク通信技術）、２Ｇ/３Ｇ/ＬＴＥなどの移動ネットワーク技術、ＦＭ（調製通信技術）などを備える。例えば、インターネットに接続しない状態ではＮＦＣ、ブルートゥース、赤外線、ＷｉＦｉなどの方式のデータ交換を支持し、インターネットに接続する状態では２Ｇ/３Ｇ/ＬＴＥなどの移動ネットワーク及び他のＩｎｔｅｒｎｅｔに接続する方式を支持する。本発明は具体的なデータ通信方式に限定されるものではない。
【００４７】
警報及びデータ処理装置２はいずれか１つのデータ収集処理装置１からの警報信号又は状態、操作情報を受信することができ、警報信号に基づいて警報操作を行うか又は状態、操作情報に基づいてインタラクティブ操作を行う。
【００４８】
データ収集処理装置１は、警報及びデータ処理モジュール１３（図示せず）をさらに備える。警報及びデータ処理モジュール１３は、メインコントロールモジュール１２の警報信号を処理して警報動作を行う。警報及びデータ処理モジュール１３は、メインコントロールモジュール１２から送信する関連情報を処理して対応するインタラクティブ操作を行う。メインコントロールモジュール１２は、警報信号、関連情報を警報及びデータ処理モジュール１３に送信するか又は警報及びデータ処理装置２に送信するかを選択する。
【００４９】
データ収集処理装置１は、記憶モジュール１４をさらに備える。記憶モジュール１４は、関連情報と、メインコントロールモジュール１２又は警報及びデータ処理モジュール１３が関連情報に対して分析処理してから生成したデータと、を記憶するために用いられる。
【００５０】
図２Ｂは、本発明に係わる盗難防止機能を有するデータ収集処理システムの別の実施方式の構造を示す図である。本実施例は図２Ａと類似し、本実施例に係わるシステムは少なくとも１つのデータ収集処理装置１を備え、各々のデータ収集処理装置１は少なくとも１つの被保護物品Ｓの関連情報を収集して処理する。
【００５１】
図２Ａと異なり、本実施方式に係わるデータ収集処理装置１は図１Ｃに示されたデータ収集処理装置を採用する。つまり、図２Ａに示されたデータ収集処理装置１に比べて、センシングモジュール１１、メインコントロールモジュール１２及び通信モジュール１５を備えるばかりでなく、警報及びデータ処理モジュール１３及び記憶モジュール１４も備える。警報及びデータ処理モジュール１３及び記憶モジュール１４の作用は図１Ａ又は図１Ｂで示す実施方式と同じであるので、ここでは詳しく説明しない。
【００５２】
各々のデータ収集処理装置１はクラウドサーバーＣＳに接続されて、各々のデータ収集処理装置１は分布式データ処理ネットワークを構成する。クラウドサーバーＣＳは各データ収集処理装置１の被保護物品に関する情報を受信して処理し且つ処理結果を各データ収集処理装置１に送信して、各データ収集処理装置１がインタラクティブ操作を行うことにする。
【００５３】
データ収集処理装置のメインコントロールモジュール１２は選択的に関連情報を内部の警報及びデータ処理モジュール１３に送信して処理するか又は外部のクラウドサーバーＣＳに送信して処理する。
【００５４】
クラウドサーバーＣＳの設置は既存のいかなる分布式計算規則に基づいて設置することができ、本発明はそれに対して限定しない。
【００５５】
図２Ｂに示されたデータ収集処理システムの各データ収集処理装置１は警報及びデータ処理モジュール１３を備えることができ、又は警報及びデータ処理モジュール１３を備えないこともできる。警報及びデータ処理モジュール１３を備えない場合、あらゆる関連情報は全てクラウドサーバーＣＳに送信して処理する。
【００５６】
本発明の目的、技術方案及び利点をもっと明確するために、以下、具体的な実施例を結合して本発明に対してさらに詳細に説明する。
【実施例】
【００５７】
図３は、本発明に係わる盗難防止機能を有するデータ収集処理装置の一実施例の組立図である。図３に示されたように、本実施例において、データ収集処理装置３０はセンサー３１及びデータ処理センター３２を備える。
【００５８】
図４に示されたように、携帯電話である被保護物品Ｓはセンサー３１に放置して固定され且つ誘導線３４に接続され、誘導線３４は被保護物品Ｓに充電するために用いられ、被保護物品Ｓは誘導線３４によってセンサー３１とデータ通信する。図３において、３７はデータ収集処理装置１の電源であり、３５は電力線である。データ処理センター３２とセンサー３１との間には２つの接続線があり、データケーブル３３は両者の間のデータ伝送を担当し、充電ケーブル３６はセンサー３１に電力を供給するために用いられ、ベースアセンブリ３８はセンサー３１及び被保護物品Ｓを支える。
【００５９】
図４は、本発明に係わる盗難防止機能を有するデータ収集処理装置の一実施方式の分解図である。図４を参照して図３で示す実施例に対して補充説明する。図４に示されたように、データ処理センター３２は、データ処理センター上カバー３２０１、アンテナ３２０２、バッテリ３２０３、データ処理センターマザーボード３２０４及びデータ処理センター下カバー３２０５からなる。データ処理センター上カバー３２０１とデータ処理センター下カバー３２０２が組み合ってアンテナ３２０２、バッテリ３２０３及びデータ処理センターマザーボード３２０４を収容する。アンテナ３２０２はデータ処理センターマザーボード３２０４が収集したデータを無線方式によって外部の警報及びデータ処理装置に伝送するために用いられる。アンテナ３２０２のスタンダードはＮＦＣ（近距離無線通信技術）、ＢＴ（ブルートゥース）、ＷＩＦＩ（無線ネットワーク通信技術）、２Ｇ/３Ｇ/ＬＴＥなどの移動ネットワーク技術、ＦＭ（調製通信技術）などを備えるが、それに限定されるものではない。バッテリ３２０３はデータ処理センター３２が電力線３５に接続しなかった場合又は使用しているところ停電状態で絶えずに電力を提供するために用いられる。データ処理センターマザーボード３２０４は、警報及びデータ収集を担当する機械電子デバイスのモジュールである。
【００６０】
図４に示されたように、センサー３１は、センサー上カバー３１０１、センサーマザーボード３１０２、センサー下カバー３１０３、センサーベース上カバー３１０４、磁石３１０５及びセンサーベース下カバー３１０６からなる。センサー上カバー３１０１とセンサー下カバー３１０３が組み合ってセンサーマザーボード３１０２の機械電子デバイスを収容して保護する。  センサーマザーボード３１０２は、被保護物品の位置が変化した場合、声、光、電気、機械、気味などの情報を収集してから、データケーブル３３によってデータ処理センター３２に伝送する。例えば、センサー３１によって使用者が被保護物品を取り上げることを検出した場合、「ようこそ体験してください」のような音声を発出するとともに照明変化提示がある。
【００６１】
図４に示されたように、センサーベース上カバー３１０４とセンサーベース下カバー３１０６が組み合って磁石３１０５を定位して保護する。本実施例において、磁石３１０５は被保護物品の原点を設定するために用いられる。データ収集方法は、ベースアセンブリ３８内の磁石３１０５がセンサー３１内のホール素子を触発して、センサー３１がベースアセンブリ３８に近付くと、磁石３１０５の磁力線はホール素子を透過し、ホール素子は開回路になり、センサー３１はデータケーブル３３によって開回路信号をデータ処理センター３２に発送し、センサー３１がベースアセンブリ３８から離れると、ホール素子を透過する磁力線は足りないので、ホール素子は閉回路になり、センサー３１はデータケーブル３３によって閉回路信号をデータ処理センター３２に発送する。
【００６２】
本実施例において、センサー３１は本発明のセンシングモジュール１１を具体的に実現し、アンテナ３２０２は本発明の通信モジュール１５を具体的に実現し、データ処理センターマザーボード３２０４は本発明の警報及びデータ処理モジュール１３、メインコントロールモジュール１２及び記憶モジュール１４を実現した。
【００６３】
図５及び図６は、発明に係わる盗難防止機能を有するデータ収集処理装置の別の実施方式の組立図及び分解図である。前の実施例と異なり、本実施例のデータ処理センターとベースアセンブリは一体式である。
【００６４】
本実施例において、データ処理センターマザーボード３２０４とセンサーマザーボード３１０２は１つのマザーボードに整合されるか又は複数のマザーボードに分けられることができる。
【００６５】
以上実施例に基づいて本発明を具体的に説明したが、本発明は上述の実施例に限定されるものではなく、その要旨を逸脱しない限り、添付の特許請求の範囲の精神及び範囲内に含まれる種々の変更や類似の構成は、すべて最も広い解釈によって本発明の保護範囲内に含まれる。
【符号の説明】
【００６６】
１，３０  データ収集処理装置
２  警報及びデータ処理装置
１１  センシングモジュール
１２  メインコントロールモジュール
１３  警報及びデータ処理モジュール
１４  記憶モジュール
１５  通信モジュール
３１  センサー
３２  データ処理センター
３３  データケーブル
３４  誘導線
３５  電力線
３６  充電ケーブル
３７  電源
３８  ベースアセンブリ
３１０１  センサー上カバー
３１０２  センサーマザーボード
３１０３  センサー下カバー
３１０４  センサーベース上カバー
３１０５  磁石
３１０６  センサーベース下カバー
３２０１  データ処理センター上カバー
３２０２  アンテナ
３２０３  バッテリ
３２０４  データ処理センターマザーボード
３２０５  データ処理センター下カバー
Ｓ  被保護物品
ＣＳ  クラウドサーバー
【図１Ａ】
2017512345.tif 000003
【図１Ｂ】
2017512345.tif 000004
【図１Ｃ】
2017512345.tif 000005
【図２Ａ】
2017512345.tif 000006
【図２Ｂ】
2017512345.tif 000007
【図３】
2017512345.tif 000008
【図４】
2017512345.tif 000009
【図５】
2017512345.tif 000010
【図６】
2017512345.tif 000011
【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
盗難防止機能を有するデータ収集処理装置であって、
前記データ収集処理装置は少なくとも１つの被保護物品に関する情報、即ち関連情報を収集して処理するために用いられ、前記関連情報は前記被保護物品が正常状態にあるか否かを表示する情報を備え、
前記盗難防止機能を有するデータ収集処理装置が前記関連情報を処理して、前記被保護物品が正常状態ではないと検出した場合、警報動作を行うことを特徴とする盗難防止機能を有するデータ収集処理装置。
【請求項２】
前記関連情報は以下の情報の中の少なくとも一種を備え、即ち前記被保護物品の状態情報、操作情報、周囲環境情報及び前記被保護物品の所有者又は使用者の情報であることを特徴とする請求項１に記載の盗難防止機能を有するデータ収集処理装置。
【請求項３】
センシングモジュール（１１）、メインコントロールモジュール（１２）、警報及びデータ処理モジュール（１３）を備え、
前記センシングモジュール（１１）は前記被保護物品（Ｓ）の前記関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）に送信し、
前記警報及びデータ処理モジュール（１３）は前記メインコントロールモジュール（１２）の警報信号を処理して警報動作を行うために用いられ、且つメインコントロールモジュール（１２）から送信する関連情報を処理して対応するインタラクティブ操作を行うことを特徴とする請求項２に記載の盗難防止機能を有するデータ収集処理装置。 
【請求項４】
前記関連情報と、前記メインコントロールモジュール（１２）又は前記警報及びデータ処理モジュール（１３）が前記関連情報に対して分析処理を行って生成したデータと、を記憶するために用いられる記憶モジュール（１４）をさらに備えることを特徴とする請求項３に記載の盗難防止機能を有するデータ収集処理装置。
【請求項５】
前記メインコントロールモジュール（１２）からの警報信号を、この警報信号を処理することができる外部装置に送信し、且つ前記センシングモジュール（１１）が入手した前記被保護物品（Ｓ）の関連情報を、この関連情報を処理することができる外部装置に送信する通信モジュール（１５）をさらに備えることを特徴とする請求項３又は４に記載の盗難防止機能を有するデータ収集処理装置。
【請求項６】
少なくとも１つのデータ収集処理装置（１）及び１つの警報及びデータ処理装置（２）を備え、前記データ収集処理装置（１）と前記警報及びデータ処理装置（２）は有線又は無線方式によってデータ接続を確立し、
前記データ収集処理装置（１）は少なくとも１つの被保護物品に関する情報、即ち関連情報を収集するために用いられ、且つそれを前記警報及びデータ処理装置（２）に送信し、前記関連情報は前記被保護物品が正常状態にあるか否かを表示する情報を備え、
前記警報及びデータ処理装置（２）が前記関連情報を処理することにより前記被保護物品が正常状態ではないと検出した場合、警報動作を行うことを特徴とする盗難防止機能を有するデータ収集処理システム。
【請求項７】
前記関連情報は以下の情報の中の少なくとも一種を備え、即ち被保護物品の状態情報、操作情報、周囲環境情報及び前記被保護物品の所有者又は使用者の情報であることを特徴とする請求項６に記載の盗難防止機能を有するデータ収集処理システム。
【請求項８】
前記データ収集処理装置（１）はセンシングモジュール（１１）、メインコントロールモジュール（１２）及び通信モジュール（１５）を備え、
前記センシングモジュール（１１）は前記被保護物品（Ｓ）の前記関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）に送信し、
前記通信モジュール（１５）は前記メインコントロールモジュール（１２）からの警報信号を前記警報及びデータ処理装置（２）に送信し、且つ前記センシングモジュール（１１）が入手した前記被保護物品の関連情報を前記警報及びデータ処理装置（２）に送信することを特徴とする請求項７に記載の盗難防止機能を有するデータ収集処理システム。
【請求項９】
前記データ収集処理装置（１）は警報及びデータ処理モジュール（１３）をさらに備え、
前記警報及びデータ処理モジュール（１３）は前記メインコントロールモジュール（１２）の警報信号を処理して警報動作を行うために用いられ、且つメインコントロールモジュール（１２）から送信する関連情報を処理して対応するインタラクティブ操作を行い、
前記メインコントロールモジュール（１２）はさらに警報信号、関連情報を前記警報及びデータ処理モジュール（１３）に送信するか又は前記警報及びデータ処理装置（２）に送信するかを選択するために用いられることを特徴とする請求項８に記載の盗難防止機能を有するデータ収集処理システム。
【請求項１０】
前記データ収集処理装置（１）は記憶モジュール（１４）をさらに備え、
前記記憶モジュール（１４）は、関連情報と、前記メインコントロールモジュール（１２）又は前記警報及びデータ処理モジュール（１３）が関連情報に対して分析処理を行って生成したデータと、を記憶するために用いられることを特徴とする請求項９に記載の盗難防止機能を有するデータ収集処理システム。
【請求項１１】
少なくとも１つのデータ収集処理装置（１）及び１つのクラウドサーバー（ＣＳ）を備え、前記データ収集処理装置（１）と前記クラウドサーバー（ＣＳ）は有線又は無線方式によってデータ接続を確立し、
前記データ収集処理装置（１）はセンシングモジュール（１１）、メインコントロールモジュール（１２）、警報及びデータ処理モジュール（１３）及び通信モジュール（１５）を備え、
前記センシングモジュール（１１）は少なくとも１つの被保護物品に関する情報、即ち関連情報を収集するために用いられ、
前記メインコントロールモジュール（１２）は前記被保護物品が正常状態にあるか否かを判断するために用いられ、前記被保護物品が正常状態ではないと判断すると、警報信号を前記警報及びデータ処理モジュール（１３）に送信し、且つ前記センシングモジュール（１１）からの関連情報も前記警報及びデータ処理モジュール（１３）又は前記クラウドサーバー（ＣＳ）に送信し、
前記警報及びデータ処理モジュール（１３）は前記関連情報を処理することにより前記被保護物品が正常状態ではないと検出した場合、警報動作を行い、且つ前記メインコントロールモジュール（１２）から送信する関連情報を処理して対応するインタラクティブ操作を行い、
前記通信モジュール（１５）は前記メインコントロールモジュール（１２）からの警報信号を警報及びデータ処理モジュール（１３）に送信し、且つ前記センシングモジュール（１１）が入手した前記被保護物品の関連情報を前記警報及びデータ処理モジュール（１３）又は前記クラウドサーバー（ＣＳ）に送信し、
前記クラウドサーバー（ＣＳ）は各データ収集処理装置（１）からの被保護物品に関する情報を受信して処理し且つ処理結果を各データ収集処理装置（１）に送信して、各データ収集処理装置（１）がインタラクティブ操作を行うことにすることを特徴とする盗難防止機能を有するデータ収集処理システム。
【請求項１２】
前記関連情報は以下の情報の中の少なくとも一種を備え、即ち前記被保護物品の状態情報、操作情報、周囲環境情報及び前記被保護物品の所有者又は使用者の情報であることを特徴とする請求項１１に記載の盗難防止機能を有するデータ収集処理システム。
【請求項１３】
前記データ収集処理装置（１）は記憶モジュール（１４）をさらに備え、
前記記憶モジュール（１４）は、関連情報と、前記メインコントロールモジュール（１２）又は前記警報及びデータ処理モジュール（１３）が関連情報に対して分析処理を行って生成したデータと、を記憶するために用いられることを特徴とする請求項１２に記載の盗難防止機能を有するデータ収集処理システム。
【請求項１４】
少なくとも１つの被保護物品に関する情報、即ち関連情報を収集し、前記関連情報は前記被保護物品が正常状態にあるか否かを表示する情報を備えるステップと、
前記被保護物品が正常状態にあるか否かを判断し、且つ前記被保護物品が正常状態ではないと判断した場合、警報動作を行うステップと、
を備えることを特徴とするデータ収集処理方法。
【請求項１５】
収集した関連情報を処理して対応するインタラクティブ操作を行うステップをさらに備えることを特徴とする請求項１４に記載のデータ収集処理方法。
【請求項１６】
前記関連情報を処理することは分布式データ収集処理システムによって計算を完成することを特徴とする請求項１５に記載のデータ収集処理方法。
【手続補正２】
【補正対象書類名】明細書
【補正対象項目名】００５８
【補正方法】変更
【補正の内容】
【００５８】
図３に示されたように、携帯電話である被保護物品Ｓはセンサー３１に放置して固定され且つ誘導線３４に接続され、誘導線３４は被保護物品Ｓに充電するために用いられ、被保護物品Ｓは誘導線３４によってセンサー３１とデータ通信する。図３において、３７はデータ収集処理装置３０の電源であり、３５は電力線である。データ処理センター３２とセンサー３１との間には２つの接続線があり、データケーブル３３は両者の間のデータ伝送を担当し、充電ケーブル３６はセンサー３１に電力を供給するために用いられ、ベースアセンブリ３８はセンサー３１及び被保護物品Ｓを支える。
【手続補正３】
【補正対象書類名】明細書
【補正対象項目名】００５９
【補正方法】変更
【補正の内容】
【００５９】
図４は、本発明に係わる盗難防止機能を有するデータ収集処理装置の一実施方式の分解図である。図４を参照して図３で示す実施例に対して補充説明する。図４に示されたように、データ処理センター３２は、データ処理センター上カバー３２０１、アンテナ３２０２、バッテリ３２０３、データ処理センターマザーボード３２０４及びデータ処理センター下カバー３２０５からなる。データ処理センター上カバー３２０１とデータ処理センター下カバー３２０５が組み合ってアンテナ３２０２、バッテリ３２０３及びデータ処理センターマザーボード３２０４を収容する。アンテナ３２０２はデータ処理センターマザーボード３２０４が収集したデータを無線方式によって外部の警報及びデータ処理装置に伝送するために用いられる。アンテナ３２０２のスタンダードはＮＦＣ（近距離無線通信技術）、ＢＴ（ブルートゥース（登録商標））、ＷＩＦＩ（無線ネットワーク通信技術）、２Ｇ/３Ｇ/ＬＴＥなどの移動ネットワーク技術、ＦＭ（調製通信技術）などを備えるが、それに限定されるものではない。バッテリ３２０３はデータ処理センター３２が電力線３５に接続しなかった場合又は使用しているところ停電状態で絶えずに電力を提供するために用いられる。データ処理センターマザーボード３２０４は、警報及びデータ収集を担当する機械電子デバイスのモジュールである。
【国際調査報告】
2017512345.tif 000012
2017512345.tif 000013
2017512345.tif 000014
2017512345.tif 000015